(57)【要約】【課題】ウエストベルトが伸縮可能で履き心地が良好であるにもかかわらず、着用と洗濯を重ねても、ウエストベルトが伸びきった状態となりにくいジーンズを提供する。とくに、ウエストベルト後部が伸びきった状態となってしまうのを防止して、着用者がかがんだ場合であっても、ウエストベルト後部が浮くことのないジーンズを提供する。【解決手段】デニム生地Ｄとして、横方向（図１のｘ軸方向）における伸長率が縦方向（図１のｙ軸方向）における伸長率よりも大きなストレッチデニムを採用し、デニム生地Ｄの横方向に沿った帯状の区画から裁断した部分をウエストベルト左前部の表地を形成するデニム生地Ｄ１及びウエストベルト右前部の表地を形成するデニム生地Ｄ３として使用し、デニム生地Ｄの縦方向に沿った帯状の区画から裁断した部分をウエストベルト後部の表地を形成するデニム生地Ｄ５として使用した。【選択図】図１
2007314898.tif 000002
【特許請求の範囲】
【請求項１】
ウエストベルト左前部の表地として用いられたデニム生地Ｄ１の腰周り方向における伸長率Ｒ１と、
ウエストベルト左前部の裏地として用いられたデニム生地Ｄ２の腰周り方向における伸長率Ｒ２と、
ウエストベルト右前部の表地として用いられたデニム生地Ｄ３の腰周り方向における伸長率Ｒ３と、
ウエストベルト右前部の裏地として用いられたデニム生地Ｄ４の腰周り方向における伸長率Ｒ４と、
ウエストベルト後部の表地として用いられたデニム生地Ｄ５の腰周り方向における伸長率Ｒ５と、
ウエストベルト後部の裏地として用いられたデニム生地Ｄ６の腰周り方向における伸長率Ｒ６とが、
下記式１〜４の関係を満たすことを特徴とするジーンズ。
Ｒ５  ＜  Ｒ１              ・・・（１）
Ｒ５  ＜  Ｒ３              ・・・（２）
Ｒ６  ≦  Ｒ２              ・・・（３）
Ｒ６  ≦  Ｒ４              ・・・（４）
【請求項２】
伸長率Ｒ１，Ｒ３が１０％以上、３０％以下であり、伸長率Ｒ２，Ｒ４，Ｒ６が１％以上、３０％以下であり、伸長率Ｒ５が１％以上、１０％未満であり、デニム生地Ｄ１，Ｄ２，Ｄ３，Ｄ４，Ｄ５，Ｄ６の上下幅が１０〜１００ｍｍに設定された請求項１記載のジーンズ。
【請求項３】
ウエストベルト全体の腰周り方向に沿った長さＬ０に対するデニム生地Ｄ５の腰周り方向に沿った長さＬ５の比Ｌ５／Ｌ０が０．１〜０．６である請求項１又は２記載のジーンズ。
【請求項４】
ウエストベルト左前部の表地と裏地、ウエストベルト右前部の表地と裏地、ウエストベルト後部の表地と裏地が、それぞれ１枚ハギ構造とされた請求項１〜３いずれか記載のジーンズ。
【請求項５】
ウエストベルト左前部の表地と裏地、ウエストベルト右前部の表地と裏地、ウエストベルト後部の表地と裏地が、それぞれ２枚ハギ構造とされた請求項１〜３いずれか記載のジーンズ。
【請求項６】
デニム生地Ｄ２とデニム生地Ｄ４とデニム生地Ｄ６が連続する１枚の生地で形成された請求項５記載のジーンズ。
【請求項７】
ウエストベルト左前部の表地として用いられたデニム生地Ｄ１の腰周り方向における伸長率Ｒ１と、
ウエストベルト左前部の裏地として用いられたデニム生地Ｄ２の腰周り方向における伸長率Ｒ２と、
ウエストベルト右前部の表地として用いられたデニム生地Ｄ３の腰周り方向における伸長率Ｒ３と、
ウエストベルト右前部の裏地として用いられたデニム生地Ｄ４の腰周り方向における伸長率Ｒ４と、
ウエストベルト後部の表地として用いられたデニム生地Ｄ５の腰周り方向における伸長率Ｒ５と、
ウエストベルト後部の裏地として用いられたデニム生地Ｄ６の腰周り方向における伸長率Ｒ６とが、
下記式５〜８の関係を満たすことを特徴とするジーンズ。
Ｒ５  ≦  Ｒ１              ・・・（５）
Ｒ５  ≦  Ｒ３              ・・・（６）
Ｒ６  ＜  Ｒ２              ・・・（７）
Ｒ６  ＜  Ｒ４              ・・・（８）
【請求項８】
ジーンズの各部分を形成するＮ枚のデニム生地Ｄ１〜ＤＮを共通な１枚のデニム生地Ｄから裁断し、裁断したデニム生地Ｄ１〜ＤＮを互いに縫合することによってジーンズを製造するジーンズの製造方法であって、
デニム生地Ｄとして横方向における伸長率が縦方向における伸長率よりも大きなものを選択し、
デニム生地Ｄの横方向に沿った帯状の区画から裁断した部分をウエストベルト左前部の表地を形成するデニム生地Ｄ１及びウエストベルト右前部の表地を形成するデニム生地Ｄ３として使用し、
デニム生地Ｄの縦方向に沿った帯状の区画から裁断した部分をウエストベルト後部の表地を形成するデニム生地Ｄ５として使用する
ことを特徴とするジーンズの製造方法。
【請求項９】
ジーンズの各部分を形成するＮ枚のデニム生地Ｄ１〜ＤＮを共通な１枚のデニム生地Ｄから裁断し、裁断したデニム生地Ｄ１〜ＤＮを互いに縫合することによってジーンズを製造するジーンズの製造方法であって、
デニム生地Ｄとして横方向における伸長率が縦方向における伸長率よりも大きなものを選択し、
デニム生地Ｄの横方向に沿った帯状の区画から裁断した部分をウエストベルト左前部の裏地を形成するデニム生地Ｄ２及びウエストベルト右前部の裏地を形成するデニム生地Ｄ４として使用し、
デニム生地Ｄの縦方向に沿った帯状の区画から裁断した部分をウエストベルト後部の裏地を形成するデニム生地Ｄ６として使用する
ことを特徴とするジーンズの製造方法。
【発明の詳細な説明】
【技術分野】
【０００１】
本発明は、ジーンズ（ジーンズパンツ）とその製造方法とに関する。
【背景技術】
【０００２】
ジーンズは、それが量産され始めた１９世紀半ば頃には、専ら作業着として着用されていたが、ジーンズ姿の俳優がスクリーンに映し出される機会が多くなった２０世紀半ば頃から、街着として着用する人が急速に増え始め、現在では、幅広い層の人に着用されるようになっている。ジーンズの各メーカは、ジーンズの堅牢さだけでなく、その履き心地にも気を配るようになり、様々な趣向を凝らしたジーンズを開発するようになっている。
【０００３】
例えば、ウエストベルトの部分を伸縮する生地で形成したジーンズが既に提案されている（特許文献１、特許文献２及び特許文献３を参照）。この種のジーンズは、ウエストベルトが着用者の腰周りに沿って伸縮できるようになっており、着用者に心地よいフィット感を提供することができるものとなっている。ウエストベルトを形成する生地には、ゴムやメリヤスなどが用いられる場合もあるが、デザイン上の観点から、ストレッチデニムと呼ばれるデニム素材（特許文献４を参照）が用いられることが多くなってきている。
【０００４】
ウエストベルトがストレッチデニムで形成されたジーンズは、今後さらなる需要の拡大が見込めるものではあったが、着用と洗濯を重ねるうちにウエストベルトが伸びきった状態になりやすいという欠点を有していた。このため、着用者の腰からずれ落ちやすくなったり、ウエストベルトの周辺に皺が形成されて見た目が悪くなったりするおそれもあった。とくに、ウエストベルト後部が伸びきった状態となってしまうと、かがんだ際などにウエストベルト後部が浮いてしまい、下着が見えてしまうおそれもあるために好ましくない。
【０００５】
【特許文献１】実公昭４３−００９０４４号公報
【特許文献２】実開平０５−０３５８０７号公報
【特許文献３】特開２００５−０５４２８５号公報
【特許文献４】特開２００５−１２０５２５号公報
【発明の開示】
【発明が解決しようとする課題】
【０００６】
本発明は、上記課題を解決するためになされたものであり、ウエストベルトが伸縮可能で履き心地が良好であるにもかかわらず、着用と洗濯を重ねても、ウエストベルトが伸びきった状態になりにくいジーンズを提供するものである。とくに、ウエストベルト後部が伸びきった状態となってしまうのを防止して、着用者がかがんだ場合であっても、ウエストベルト後部が浮くことのないジーンズを提供するものである。
【課題を解決するための手段】
【０００７】
上記課題は、ウエストベルト左前部の表地として用いられたデニム生地Ｄ１の腰周り方向における伸長率Ｒ１と、ウエストベルト左前部の裏地として用いられたデニム生地Ｄ２の腰周り方向における伸長率Ｒ２と、ウエストベルト右前部の表地として用いられたデニム生地Ｄ３の腰周り方向における伸長率Ｒ３と、ウエストベルト右前部の裏地として用いられたデニム生地Ｄ４の腰周り方向における伸長率Ｒ４と、ウエストベルト後部の表地として用いられたデニム生地Ｄ５の腰周り方向における伸長率Ｒ５と、ウエストベルト後部の裏地として用いられたデニム生地Ｄ６の腰周り方向における伸長率Ｒ６とが、下記式１〜４の関係を満たすことを特徴とするジーンズを提供することによって解決される。
Ｒ５  ＜  Ｒ１              ・・・（１）
Ｒ５  ＜  Ｒ３              ・・・（２）
Ｒ６  ≦  Ｒ２              ・・・（３）
Ｒ６  ≦  Ｒ４              ・・・（４）
【０００８】
ここで、伸長率とは、「ＪＩＳ  Ｌ  １０９６  一般織物試験方法」の「８．１４．１  伸長率」の項目に規定されているＢ法（定荷重法）によって測定された伸長率を意味する。これにより、ジーンズのウエストベルト左前部とウエストベルト右前部を腰周り方向に伸びやすくする一方で、ウエストベルトの後部を腰周り方向に伸びにくくすることができる。したがって、ジーンズのウエストベルトに適度な伸縮性と保形性を付与することが可能になる。以下においては、この形態のジーンズを、後述する第二形態のジーンズと区別するために、第一形態のジーンズと呼ぶことがある。
【０００９】
第一形態のジーンズにおいて、伸長率Ｒ１，Ｒ２，Ｒ３，Ｒ４，Ｒ５，Ｒ６の具体的な値は、デニム生地Ｄ１，Ｄ２，Ｄ３，Ｄ４，Ｄ５，Ｄ６の上下幅などによっても異なり、とくに限定されないが、デニム生地Ｄ１，Ｄ２，Ｄ３，Ｄ４，Ｄ５，Ｄ６の上下幅が１０〜１００ｍｍに設定されている場合には、通常、伸長率Ｒ１，Ｒ３が１０％以上、３０％以下とされ、伸長率Ｒ２，Ｒ４，Ｒ６が１％以上、３０％以下とされ、伸長率Ｒ５が１％以上、１０％未満とされる。
【００１０】
第一形態のジーンズにおいて、ウエストベルトにおける非伸縮部（デニム生地Ｄ５で形成された部分）の具体的な長さは、着用者のウエストサイズなどによって異なり、とくに限定されないが、通常、ウエストベルト全体の腰周り方向に沿った長さＬ０に対するデニム生地Ｄ５の腰周り方向に沿った長さＬ５の比Ｌ５／Ｌ０が０．１〜０．６の範囲となるように設定される。
【００１１】
第一形態のジーンズにおいて、ウエストベルト左前部の表地と裏地、ウエストベルト右前部の表地と裏地、ウエストベルト後部の表地と裏地は、それぞれ１枚ハギ構造とされたものであってもよいし、それぞれ２枚ハギ構造とされたものであってもよい。ウエストベルト（とくにウエストベルト左前部及びウエストベルト右前部）の上縁を直線状に形成する場合（いわゆるストレートベルトとする場合）には、１枚ハギ構造を採用すると好適であり、ウエストベルト（とくにウエストベルト左前部及びウエストベルト右前部）の上縁を湾曲して形成する場合（いわゆるカーブベルトとする場合）には、２枚ハギ構造を採用すると好適である。
【００１２】
第一形態のジーンズにおいて、ウエストベルトを２枚ハギ構造とする場合には、デニム生地Ｄ２とデニム生地Ｄ４とデニム生地Ｄ６とを連続する１枚の生地で形成すると好ましい。これにより、ジーンズの製造に要するデニム生地の枚数を削減して、ジーンズの製造コストを低減することができる。また、ジーンズをより堅牢なものとすることも可能になる。
【００１３】
第一形態のジーンズは、その製造方法をとくに限定されるものではないが、ジーンズの各部分を形成するＮ枚のデニム生地Ｄ１〜ＤＮを共通な１枚のデニム生地Ｄから裁断し、裁断したデニム生地Ｄ１〜ＤＮを互いに縫合することによってジーンズを製造するジーンズの製造方法であって、デニム生地Ｄとして横方向における伸長率が縦方向における伸長率よりも大きなものを選択し、デニム生地Ｄの横方向に沿った帯状の区画から裁断した部分をウエストベルト左前部の表地を形成するデニム生地Ｄ１及びウエストベルト右前部の表地を形成するデニム生地Ｄ３として使用し、デニム生地Ｄの縦方向に沿った帯状の区画から裁断した部分をウエストベルト後部の表地を形成するデニム生地Ｄ５として使用することを特徴とするジーンズの製造方法によって製造すると好ましい。これにより、第一形態のジーンズの製造コストをより低減することが可能になる。
【００１４】
また、上記課題は、ウエストベルト左前部の表地として用いられたデニム生地Ｄ１の腰周り方向における伸長率Ｒ１と、ウエストベルト左前部の裏地として用いられたデニム生地Ｄ２の腰周り方向における伸長率Ｒ２と、ウエストベルト右前部の表地として用いられたデニム生地Ｄ３の腰周り方向における伸長率Ｒ３と、ウエストベルト右前部の裏地として用いられたデニム生地Ｄ４の腰周り方向における伸長率Ｒ４と、ウエストベルト後部の表地として用いられたデニム生地Ｄ５の腰周り方向における伸長率Ｒ５と、ウエストベルト後部の裏地として用いられたデニム生地Ｄ６の腰周り方向における伸長率Ｒ６とが、下記式５〜８の関係を満たすことを特徴とするジーンズを提供することによっても解決される。
Ｒ５  ≦  Ｒ１              ・・・（５）
Ｒ５  ≦  Ｒ３              ・・・（６）
Ｒ６  ＜  Ｒ２              ・・・（７）
Ｒ６  ＜  Ｒ４              ・・・（８）
【００１５】
これによっても、ジーンズのウエストベルト左前部とウエストベルト右前部を腰周り方向に伸びやすくする一方で、ウエストベルトの後部を腰周り方向に伸びにくくすることができる。したがって、ジーンズのウエストベルトに適度な伸縮性と保形性を付与することが可能になる。以下においては、この形態のジーンズを、前述の第一形態のジーンズと区別するために、第二形態のジーンズと呼ぶことがある。
【００１６】
第二形態のジーンズは、第一形態のジーンズにおける表地と裏地との位置関係が逆になっただけのものであり、その本質は第一形態のジーンズと同様である。このため、以下においては、第一形態のジーンズについてのみ説明を行い、第二形態のジーンズについての説明は割愛するが、第一形態のジーンズにおける「表地」を「裏地」で、「裏地」を「表地」で、「デニム生地Ｄ１」を「デニム生地Ｄ２」で、「デニム生地Ｄ２」を「デニム生地Ｄ１」で、「デニム生地Ｄ３」を「デニム生地Ｄ４」で、「デニム生地Ｄ４」を「デニム生地Ｄ３」で、「デニム生地Ｄ５」を「デニム生地Ｄ６」で、「デニム生地Ｄ６」を「デニム生地Ｄ５」でそれぞれ読み替えた構成は、第二形態のジーンズにおいても好適に採用することができる。
【００１７】
例えば、第二形態のジーンズは、ジーンズの各部分を形成するＮ枚のデニム生地Ｄ１〜ＤＮを共通な１枚のデニム生地Ｄから裁断し、裁断したデニム生地Ｄ１〜ＤＮを互いに縫合することによってジーンズを製造するジーンズの製造方法であって、デニム生地Ｄとして横方向における伸長率が縦方向における伸長率よりも大きなものを選択し、デニム生地Ｄの横方向に沿った帯状の区画から裁断した部分をウエストベルト左前部の裏地を形成するデニム生地Ｄ２及びウエストベルト右前部の裏地を形成するデニム生地Ｄ４として使用し、デニム生地Ｄの縦方向に沿った帯状の区画から裁断した部分をウエストベルト後部の裏地を形成するデニム生地Ｄ６として使用することを特徴とするジーンズの製造方法によって好適に製造することができる。
【発明の効果】
【００１８】
以上のように、本発明によって、ウエストベルトが伸縮可能で履き心地が良好であるにもかかわらず、着用と洗濯を重ねても、ウエストベルトが伸びきった状態となりにくいジーンズを提供することが可能になる。とくに、ウエストベルト後部が伸びきった状態となってしまうのを防止して、着用者がかがんだ場合であっても、ウエストベルト後部が浮くことのないジーンズを提供することも可能になる。
【発明を実施するための最良の形態】
【００１９】
本発明における第一形態のジーンズを、図面を用いてより具体的に説明する。図１は、本発明のジーンズ（ストレートベルトタイプ）の各部分を裁断するデニム生地Ｄの一例を示した平面図である。図２は、本発明のジーンズ（ストレートベルトタイプ）の一例を示した正面図である。図３は、本発明のジーンズ（ストレートベルトタイプ）の一例を示した背面図である。図４は、本発明のジーンズ（カーブベルトタイプ）の各部分を裁断するデニム生地Ｄの一例を示した平面図である。図５は、本発明のジーンズ（カーブベルトタイプ）の一例を示した正面図である。図６は、本発明のジーンズ（カーブベルトタイプ）の一例を示した背面図である。
【００２０】
本発明のジーンズには、図１〜図３に示すように、ウエストベルトの上縁が直線状に形成された、いわゆるストレートベルトタイプのものと、図４〜図６に示すように、ウエストベルトの上縁が湾曲して形成された、いわゆるカーブベルトタイプのものとがある。
【００２１】
１．ストレートベルトタイプのジーンズの製造方法
ストレートベルトタイプのジーンズは、図１に示すように、共通な１枚のデニム生地Ｄからデニム生地Ｄ１〜Ｄ２３を裁断し、裁断したデニム生地Ｄ１〜Ｄ２３を互いに縫合することによって製造するものとなっている。デニム生地Ｄは、横方向（図１のｘ軸方向）における伸長率が縦方向（図１のｙ軸方向）における伸長率よりも大きなもの（いわゆるストレッチデニム）を採用している。
【００２２】
本実施態様のジーンズにおいて、デニム生地Ｄ１とデニム生地Ｄ２、デニム生地Ｄ３とデニム生地Ｄ４、デニム生地Ｄ５とデニム生地Ｄ６は、図１に示すように、上縁となる部分（図１の破線部）で互いに連続した形態のものとなっている。
【００２３】
ストレートベルトタイプのジーンズは、ウエストベルトの上縁が直線状に形成されているので、ウエストベルト左前部の表地と裏地、ウエストベルト右前部の表地と裏地、ウエストベルト後部の表地と裏地をいずれも１枚ハギ構造とすることができる。このため、ウエストベルトを形成するデニム生地の枚数を減らすことが可能になり、ジーンズの製造コストを削減することが可能になる。また、縫合箇所が少なくて済むので、ウエストベルトを強靭に形成することも可能になる。
【００２４】
本実施態様のジーンズにおいて、デニム生地Ｄ１，Ｄ３，Ｄ５の下縁は、ジーンズの前面側に表出しないように内側に折り込んだ状態でデニム生地Ｄ７，Ｄ８，Ｄ１１，Ｄ１２，Ｄ１３，Ｄ１４の上縁に縫着している。一方、デニム生地Ｄ２，Ｄ４，Ｄ６の下縁は、ジーンズの前面側に表出することはないので、解れが生じないようにかがり縫いを施しただけの状態（ふらした状態）としている。このため、ウエストベルトの下縁におけるジーンズの厚みを抑え、ジーンズの履き心地をさらに向上させることができるようになっている。
【００２５】
２．デニム生地Ｄの伸長率
デニム生地Ｄ１〜Ｄ２３のうち、ウエストベルト左前部及びウエストベルト右前部の表地を形成するデニム生地Ｄ１，Ｄ３は、図１に示すように、デニム生地Ｄの横方向（図１のｘ軸方向）に沿った帯状の区画から裁断されるようになっている。このため、ウエストベルト左前部及びウエストベルト右前部の表地を形成するデニム生地Ｄ１，Ｄ３の腰周り方向における伸長率Ｒ１，Ｒ３は、デニム生地Ｄの横方向における伸長率に一致するようになっている。
【００２６】
デニム生地Ｄの横方向における伸長率（伸長率Ｒ１，Ｒ３）は、とくに限定されないが、小さすぎると、ウエストベルト左前部及びウエストベルト右前部に適度な伸縮性を付与することができなくなり、ジーンズの履き心地が悪化するおそれがある。このため、デニム生地Ｄは、通常、横方向における伸長率が１０％以上のものが採用される。デニム生地Ｄの横方向における伸長率は、１２％以上であると好ましく、１４％以上であるとより好ましい。
【００２７】
一方、デニム生地Ｄの横方向における伸長率（伸長率Ｒ１，Ｒ３）が大きすぎると、ウエストベルト左前部及びウエストベルト右前部に適度な保形性を付与することができなくなり、ジーンズの履き心地が悪化するおそれがある。このため、デニム生地Ｄは、通常、横方向における伸長率が３０％以下のものが採用される。デニム生地Ｄの横方向における伸長率は、２５％以下であると好ましく、２０％以下であるとより好ましい。本実施態様のジーンズにおいて、デニム生地Ｄの横方向における伸長率は、約１６％となっている。そして、デニム生地Ｄの横方向における伸長回復率（「ＪＩＳ  Ｌ  １０９６  一般織物試験方法」の「８．１４．２  伸長回復率及び残留ひずみ率」の項目に規定されているＢ−１法（定荷重法）によって測定された伸長回復率）は、約７９．４％となっている。
【００２８】
また、デニム生地Ｄ１〜Ｄ２３のうち、ウエストベルト後部の表地を形成するデニム生地Ｄ５は、デニム生地Ｄの縦方向（図１のｙ軸方向）に沿った帯状の区画から裁断されるようになっている。このため、ウエストベルト後部の表地を形成するデニム生地Ｄ５の腰周り方向における伸長率Ｒ５は、デニム生地Ｄの縦方向における伸長率に一致するようになっている。
【００２９】
デニム生地Ｄの縦方向における伸長率（伸長率Ｒ５）は、とくに限定されないが、小さすぎると、ウエストベルト後部が硬くなりすぎて、ジーンズの履き心地が悪化するおそれがある。このため、デニム生地Ｄは、通常、縦方向における伸長率が１％以上のものが採用される。デニム生地Ｄの縦方向における伸長率は、３％以上であると好ましく、５％以上であるとより好ましい。
【００３０】
一方、デニム生地Ｄの縦方向における伸長率（伸長率Ｒ５）が大きすぎると、ウエストベルト後部に適度な保形性を付与することができなくなり、ジーンズが着用者の腰からずれ落ちやすくなるおそれがある。このため、デニム生地Ｄは、通常、縦方向における伸長率が１０％未満のものが採用される。デニム生地Ｄの縦方向における伸長率は、９％以下であると好ましく、８％以下であるとより好ましい。本実施態様のジーンズにおいて、デニム生地Ｄの縦方向における伸長率は、約７．５％となっている。そして、デニム生地Ｄの縦方向における伸長回復率（「ＪＩＳ  Ｌ  １０９６  一般織物試験方法」の「８．１４．２  伸長回復率及び残留ひずみ率」の項目に規定されているＢ−１法（定荷重法）によって測定された伸長回復率）は、約４７％となっている。
【００３１】
以上のように、本実施態様のジーンズは、ウエストベルト左前部及びウエストベルト右前部が腰周り方向に伸縮しやすいデニム生地で形成されている一方で、ウエストベルト後部が腰周り方向に伸縮しにくいデニム生地で形成されたものとなっている。このため、ウエストベルトが伸縮可能で履き心地が良好であるにもかかわらず、着用と洗濯を重ねても、ウエストベルトが伸びきった状態になりにくくなっている。
【００３２】
３．ウエストベルトの上下幅
デニム生地Ｄ１，Ｄ２，Ｄ３，Ｄ４，Ｄ５，Ｄ６の上下幅は、とくに限定されないが、短すぎると、ウエストベルトに適度な保形性を付与することができなくなり、ジーンズの履き心地が悪化するおそれがある。また、ジーンズの見た目が悪くなるおそれもある。このため、デニム生地Ｄ１，Ｄ２，Ｄ３，Ｄ４，Ｄ５，Ｄ６の上下幅は、通常、１０ｍｍ以上に設定される。デニム生地Ｄ１，Ｄ２，Ｄ３，Ｄ４，Ｄ５，Ｄ６の上下幅は、２０ｍｍ以上であると好ましく、３０ｍｍ以上であるとより好ましく、４０ｍｍ以上であるとさらに好ましい。
【００３３】
一方、デニム生地Ｄ１，Ｄ２，Ｄ３，Ｄ４，Ｄ５，Ｄ６の上下幅が長すぎると、ウエストベルトに適度な伸縮性を付与することができなくなり、ジーンズの履き心地が悪化するおそれがある。また、ジーンズの見た目が悪くなるおそれもある。このため、デニム生地Ｄ１，Ｄ２，Ｄ３，Ｄ４，Ｄ５，Ｄ６の上下幅は、通常、１００ｍｍ以下に設定される。デニム生地Ｄ１，Ｄ２，Ｄ３，Ｄ４，Ｄ５，Ｄ６の上下幅は、８０ｍｍ以上であると好ましく、７０ｍｍ以下であるとより好ましく、６０ｍｍ以下であるとさらに好ましい。本実施態様のジーンズにおいて、デニム生地Ｄ１，Ｄ２，Ｄ３，Ｄ４，Ｄ５，Ｄ６の上下幅は、約５０ｍｍに設定されている。
【００３４】
４．非伸縮部の長さ
ウエストベルト全体の腰周り方向に沿った長さＬ０に対するデニム生地Ｄ５の腰周り方向に沿った長さＬ５（非伸縮部の腰周り方向に沿った長さ）の比Ｌ５／Ｌ０は、小さすぎると、ウエストベルトに適度な保形性を付与することができなくなるおそれがある。このため、比Ｌ５／Ｌ０は、通常、０．１以上に設定される。比Ｌ５／Ｌ０は、０．１５以上であると好ましく、０．２以上であるとより好ましく、０．２５以上であるとさらに好ましい。
【００３５】
一方、ウエストベルト全体の腰周り方向に沿った長さＬ０に対するデニム生地Ｄ５の腰周り方向に沿った長さＬ５（非伸縮部の腰周り方向に沿った長さ）の比Ｌ５／Ｌ０が大きすぎると、ウエストベルトに適度な伸縮性を付与することができなくなるおそれがある。このため、比Ｌ５／Ｌ０は、通常、０．６以下に設定される。比Ｌ５／Ｌ０は、０．５以下であると好ましく、０．４以下であるとより好ましく、０．３以下であるとさらに好ましい。本実施態様のジーンズにおいて、比Ｌ５／Ｌ０は、約０．２６となっている。
【００３６】
５．カーブベルトタイプのジーンズの製造方法
カーブベルトタイプのジーンズは、図４に示すように、共通な１枚のデニム生地Ｄからデニム生地Ｄ１〜Ｄ２３を裁断し、裁断したデニム生地Ｄ１〜Ｄ２３を互いに縫合することによって製造するものとなっている。以下においては、ストレートベルトタイプのジーンズと異なる点に絞って説明する。
【００３７】
カーブベルトタイプのジーンズは、ウエストベルトの上縁が湾曲して形成されており、ウエストベルト左前部の表地と裏地、ウエストベルト右前部の表地と裏地、ウエストベルト後部の表地と裏地を、それぞれ１枚ハギ構造とすることはできない。このため、本実施態様のジーンズにおいては、デニム生地Ｄ１とデニム生地Ｄ２、デニム生地Ｄ３とデニム生地Ｄ４、デニム生地Ｄ５とデニム生地Ｄ６を、図４に示すように、それぞれ互いに分離した状態で裁断し、ウエストベルトの表地と裏地が２枚ハギ構造となるようにしている。
【００３８】
また、本実施態様のジーンズにおいては、デニム生地Ｄ２とデニム生地Ｄ４とデニム生地Ｄ６を連続する１枚の生地で形成している。このため、ウエストベルトを形成するデニム生地の枚数を減らすことが可能になり、ジーンズの製造コストを削減することが可能になる。また、縫合箇所が少なくて済むので、ウエストベルトを強靭に形成することも可能になる。
【００３９】
この場合、デニム生地Ｄ２，Ｄ４，Ｄ６を、デニム生地Ｄの縦方向（図４のｙ軸方向）に沿った帯状の区画から裁断すると、デニム生地Ｄ２，Ｄ４がデニム生地Ｄ１，Ｄ３の伸縮性を打ち消してしまい、ウエストベルト左前部とウエストベルト右前部が腰周り方向に伸縮しにくくなるので、デニム生地Ｄ２，Ｄ４，Ｄ６は、図４に示すように、デニム生地Ｄの横方向（図４のｘ軸方向）に沿った帯状の区画から裁断している。
【００４０】
以上のように、本実施態様のジーンズも、ウエストベルト左前部及びウエストベルト右前部が腰周り方向に伸縮しやすいデニム生地で形成されている一方で、ウエストベルト後部が腰周り方向に伸縮しにくいデニム生地で形成されたものとなっている。このため、ウエストベルトが伸縮可能で履き心地が良好であるにもかかわらず、着用と洗濯を重ねても、ウエストベルトが伸びきった状態となりにくくなっている。
【００４１】
６．用途
本発明のジーンズは、その用途を特に限定されず、いわゆるストレートカットジーンズ、ブーツカットジーンズ、ベルボトムジーンズ、フレアジーンズ、ローライズジーンズ、クロップドジーンズ、ロールアップジーンズといった各種のジーンズに採用することができる。また、ペインターパンツなど、特殊な形態のジーンズに採用することもできる。
【図面の簡単な説明】
【００４２】
【図１】本発明のジーンズ（ストレートベルトタイプ）の各部分を裁断するデニム生地Ｄの一例を示した平面図である。
【図２】本発明のジーンズ（ストレートベルトタイプ）の一例を示した正面図である。
【図３】本発明のジーンズ（ストレートベルトタイプ）の一例を示した背面図である。
【図４】本発明のジーンズ（カーブベルトタイプ）の各部分を裁断するデニム生地Ｄの一例を示した平面図である。
【図５】本発明のジーンズ（カーブベルトタイプ）の一例を示した正面図である。
【図６】本発明のジーンズ（カーブベルトタイプ）の一例を示した背面図である。
【符号の説明】
【００４３】
Ｄ  デニム生地
Ｄ１  ウエストベルト左前部の表地を形成するデニム生地
Ｄ２  ウエストベルト左前部の裏地を形成するデニム生地
Ｄ３  ウエストベルト右前部の表地を形成するデニム生地
Ｄ４  ウエストベルト右前部の裏地を形成するデニム生地
Ｄ５  ウエストベルト後部の表地を形成するデニム生地
Ｄ６  ウエストベルト後部の裏地を形成するデニム生地
Ｄ７  左前身頃を形成するデニム生地
Ｄ８  右前身頃を形成するデニム生地
Ｄ９  左後身頃を形成するデニム生地
Ｄ１０  右後身頃を形成するデニム生地
Ｄ１１  左後尻まちを形成するデニム生地
Ｄ１２  右後尻まちを形成するデニム生地
Ｄ１３  左前ポケット前身を形成するデニム生地
Ｄ１４  右前ポケット前身を形成するデニム生地
Ｄ１５  左後ポケットを形成するデニム生地
Ｄ１６  右後ポケットを形成するデニム生地
Ｄ１７  右前内ポケットを形成するデニム生地
Ｄ１８  前立を形成するデニム生地
Ｄ１９  左前ベルトループを形成するデニム生地
Ｄ２０  右前ベルトループを形成するデニム生地
Ｄ２１  左横ベルトループを形成するデニム生地
Ｄ２２  右横ベルトループを形成するデニム生地
Ｄ２３  後ベルトループを形成するデニム生地
【図１】
2007314898.tif 000003
【図２】
2007314898.tif 000004
【図３】
2007314898.tif 000005
【図４】
2007314898.tif 000006
【図５】
2007314898.tif 000007
【図６】
2007314898.tif 000008